(57)【要約】【課題】多画面を表示可能なドルビーデジタル方式に対応するＡＶシステムにおいて、１または複数の視聴者の視聴形態の変化に対応し、視聴者に違和感や不快感を与えることなく複数の画面及び音声を視聴可能とする。【解決手段】視聴パターンを操作部１１０で選択すれば、記憶部１０９に記憶される画面配置パターンに従って１または複数の画面が表示装置２に表示され、また記憶部１０９に記憶される拡声パターンに従ってスピーカ８から音声が出力される。従って、視聴者が視聴パターンを自分の視聴形態に合わせて設定しておけば、自分の好みの画面配置を自由に選択でき、かつ音声も視聴に好適なよう出力させることができる。【選択図】  図１
2004343376.tif 000002
【特許請求の範囲】
【請求項１】
表示装置に表示する１または複数の画面に対応するデジタル音声信号が入力される入力手段と、
ドルビーデジタル方式による前左チャンネル（Ｌチャンネル）、前右チャンネル（Ｒチャンネル）、後左チャンネル（ＲＬチャンネル）、後右チャンネル（ＲＲチャンネル、センタチャンネル（Ｃチャンネル）及びサブウーハチャンネル（ＬＦＥチャンネル）を含むチャンネルと、
前記表示装置における画面の配置を示す画面配置の選択を受け付ける画面配置選択手段と、
選択された画面配置に応じた画面を前記表示装置に表示させる表示制御手段と、
前記入力手段に入力されたデジタル音声信号を前記チャンネルに出力する出力手段と、
画面配置とデジタル音声信号の出力先となるチャンネルとの対応を定めた視聴パターン情報を記憶する記憶部と、
選択された画面配置と前記視聴パターン情報とに応じてデジタル音声信号の出力先となるチャンネルを選択し、前記出力手段を制御して選択されたチャンネルに前記デジタル音声信号を出力させる出力制御手段と、
を備えることを特徴とするＡＶシステム。
【請求項２】
入力されたデジタル音声信号に対し所定の処理を実行する処理手段と、
選択された画面配置と前記視聴パターン情報とに応じて前記所定の処理の実行を制御する処理制御手段と、
をさらに備えることを特徴とする請求項１記載のＡＶシステム。
【請求項３】
前記所定の処理は、２チャンネルステレオのデジタル音声信号に含まれる左チャンネル用デジタル音声信号から右チャンネル用デジタル音声信号を減算しまたは右チャンネル用デジタル音声信号から左チャンネル用デジタル音声信号を減算してサラウンド信号を生成するサラウンド信号生成処理であることを特徴とする請求項２記載のＡＶシステム。
【請求項４】
前記出力制御手段は選択された画面配置と前記視聴パターン情報とに応じて前記Ｃチャンネルに前記サラウンド信号を出力させることを特徴とする請求項３記載のＡＶシステム。
【請求項５】
前記所定の処理は、前記入力手段に入力された５．１チャンネルのデジタル音声信号の一部または全部を２チャンネルステレオのデジタル音声信号であるステレオ信号にダウンミックスするダウンミックス処理であることを特徴とする請求項２記載のＡＶシステム。
【請求項６】
前記画面配置選択手段は、大画面及び小画面からなる画面配置である大小画面配置の選択を受け付け、
前記出力制御手段は、前記大小画面配置が選択された場合、前記大小画面配置に対応する視聴パターン情報に応じ、前記大画面に対応する右チャンネル用デジタル音声信号を前記Ｒチャンネルに出力させ、前記大画面に対応する左チャンネル用デジタル音声信号を前記Ｌチャンネルに出力させ、前記小画面に対応する左チャンネル用デジタル音声信号を前記ＲＬチャンネルに出力させ、前記小画面に対応する右チャンネル用デジタル音声信号を前記ＲＲチャンネルに出力させることを特徴とする請求項１、３または５記載のＡＶシステム。
【請求項７】
前記画面配置選択手段は、左右に分割された左画面及び右画面からなる画面配置である左右分割画面配置の選択を受け付け、
前記出力制御手段は、前記左右分割画面配置が選択された場合、前記左右分割画面配置に対応する視聴パターン情報に応じ、前記左画面に対応した右チャンネル用デジタル音声信号を前記Ｌチャンネルに出力させ、前記左画面に対応した左チャンネル用デジタル音声信号を前記ＲＬチャンネルに出力させ、前記右画面に対応した左チャンネル用デジタル音声信号を前記Ｒチャンネルに出力させ、前記右画面に対応した右チャンネル用デジタル音声信号を前記ＲＲスピーカに出力させることを特徴とする請求項１または５記載のＡＶシステム。
【請求項８】
前記所定の処理は、前記２チャンネルステレオのデジタル音声信号に含まれる左チャンネル用デジタル音声信号及び右チャンネル用デジタル音声信号を加算してモノラル信号を生成するモノラル信号生成処理であることを特徴とする請求項３または５記載のＡＶシステム。
【請求項９】
前記画面配置選択手段は、左右に分割された左画面及び右画面からなる画面配置である左右分割画面配置の選択を受け付け、
前記処理制御手段は、前記左右分割画面配置が選択された場合、前記左右分割画面配置に対応する視聴パターン情報に応じ、前記左画面及び前記右画面にそれぞれ対応したデジタル音声信号からモノラル信号をそれぞれ生成させ、かつ前記左画面に対応したデジタル音声信号及び前記右画面に対応したデジタル音声信号からサラウンド信号をそれぞれ生成させ、
前記出力制御手段は、前記左右分割画面配置が選択された場合、前記左右分割画面配置に対応する視聴パターン情報に応じ、前記左画面に対応したデジタル音声信号から生成されたモノラル信号を前記Ｌチャンネルに出力させ、前記右画面に対応したデジタル音声信号から生成されたモノラル信号を前記Ｒチャンネルに出力させ、前記左画面に対応したデジタル音声信号から生成されたサラウンド信号を前記ＲＬチャンネルに出力させ、前記左画面に対応したデジタル音声信号から生成されたサラウンド信号を前記ＲＲチャンネルに出力させることを特徴とする請求項８記載のＡＶシステム。
【請求項１０】
前記表示制御手段は、上下左右に４分割された左上画面、右上画面、左下画面及び右下画面からなる４分割画面配置の選択を受け付け、
前記処理制御手段は、前記４分割画面配置が選択された場合、前記４分割画面配置に対応する視聴パターン情報に応じ、前記左上画面、右上画面、左下画面及び右下画面にそれぞれ対応したデジタル音声信号からモノラル信号をそれぞれ生成させ、
前記出力制御手段は、前記４分割画面配置が選択された場合、前記４分割画面配置に対応する視聴パターン情報に応じ、前記左上画面に対応したデジタル音声信号から生成されたモノラル信号を前記Ｌチャンネルに出力させ、前記右上画面に対応したデジタル音声信号から生成されたモノラル信号を前記Ｒチャンネルに出力させ、前記左下画面に対応したデジタル音声信号から生成されたモノラル信号を前記ＲＬチャンネルに出力させ、前記右下画面に対応したデジタル音声信号から生成されたモノラル信号を前記ＲＲチャンネルに出力させることを特徴とする請求項８記載のＡＶシステム。
【発明の詳細な説明】
【０００１】
【発明の属する技術分野】
本発明は、ドルビーデジタル方式に対応するＡＶシステムで多画面表示を行う際の音声出力に関する。
【０００２】
【従来の技術】
従来、受像機で多画面表示を行う際に各画面に対応する複数の音声を１または複数の視聴者が聞き取りやすくするための様々な技術が開発されている。
【０００３】
例えば、特許文献１には、複数画面に対応する各々の音声信号の左側、右側、センター側音量を調整可能な音量コントロール回路、音量コントロール回路により音量調整された各々の音声信号を左側、右側、センター側で合成し、合成された各々の音声信号をそれぞれ左側スピーカ、右側スピーカ、センター側スピーカに出力する音声ＭＩＸ回路を備える多画面受像装置が記載されている。この多画面受像装置は、左側、右側、センター側のそれぞれの音量を音量コントロール回路で制御することで全体の音量を一定に保ちつつ合成可能である。従って、映像画面の大きさや位置に合わせて音量バランスを調整して合成すれば、合成された各々の音声と映像画面との対応を音量により容易に認識できる。
【０００４】
また、例えば、特許文献２には、多画面の各々に対応するステレオ音声信号を合成する複数のモノラル成分抽出回路、合成した音声信号のうち一方の音声信号の周波数帯域を電話程度の狭帯域に制限するＢＰＦ（帯域通過フィルタ）、合成された音声信号をそのまま出力する第１のスピーカ、ＢＰＦで周波数帯域を制限された音声信号を出力する第２のスピーカを備える音声出力回路が記載されている。この音声出力回路では、ＢＰＦを通過しない音声がＢＰＦを通過した音声に比して高品位となる。このため、例えば右側の画面に対応させて右側のスピーカからＢＰＦを通過しない音声を、左側の画面に対応させて左側のスピーカからＢＰＦを通過した音声をそれぞれ拡声すれば、音質の違いから容易に両者の音声の聞き分けができる。
【０００５】
また、例えば、特許文献３には、選択された複数の映像信号を１画面中に同時に表示する多画面処理手段、選択された複数の映像信号に対応する音声信号をそれぞれ複数のスピーカに出力する音声選択手段を備えるテレビジョン受信機が記載されている。このテレビジョン受信機によると、映像の表示位置に対応するスピーカから音声が拡声されるので、複数の映像と音声との対応を映像の表示位置及び音声の拡声位置から認識できる。
【０００６】
【特許文献１】
特開２０００−６９３９１号公報、段落番号００２３
【０００７】
【特許文献２】
特開平９−３２２０９４号公報、段落番号００４４
【０００８】
【特許文献３】
特開平８−９８１０２号公報、段落番号０００７
【０００９】
【発明が解決しようとする課題】
ところが、特許文献１の多画面受像装置で合成された音声をドルビーデジタル方式に対応する５．１チャンネルスピーカで拡声した場合、本来の音場環境が変化し、臨場感を損なう可能性がある。例えば、視聴者の右前方に位置するフロントスピーカ、視聴者の右後方に位置するリアスピーカからは共に同じ合成音声が出力される。同様に、視聴者の左前方に位置するフロントスピーカ、視聴者の左後方に位置するリアスピーカからは共に同じ合成音声が出力される。即ち、本来フロントスピーカから拡声すべき音声がリアスピーカから出力され、リアスピーカから拡声すべき音声がフロントスピーカから出力されるため、視聴者に違和感や不快感を与える可能性がある。加えて、特許文献１の多画面受像装置では、音量の調節で音声と画面との対応を認識させるため、複数の視聴者が同時に多画面の各々を視聴している場合、視聴者の場所によっては音量に差が感じられず、画面と音声との対応を明確に認識できない可能性がある。
【００１０】
また、特許文献２の音声出力回路は、ＢＰＦで周波数の帯域を制限するため、拡声される歌唱が聞きづらくなるなど、本来の音声効果や音場環境を損ね、視聴者に違和感や不快感を与える可能性がある。
【００１１】
さらに、特許文献３のテレビジョン受信機は、スピーカを表示位置に対応させて設置する必要がある。即ち、画面が左右に分割された表示であれば左右にスピーカを配置し、画面が３分割であればスピーカを三方に配置し、画面が４分割であればスピーカを四方に配置するなど、画面位置に対応させてスピーカを配置する必要が生じる。このように表示位置に対応するスピーカの配置をドルビーデジタル方式に対応する５．１チャンネルスピーカで実現する場合、通常の視聴で必要なスピーカの配置と、多画面での視聴で必要なスピーカの配置とが一致しないときは必然的にスピーカを移動しなければならず煩雑である。加えて、特許文献３には、５．１チャンネルスピーカの配置をそのまま用いて１または複数の視聴者が多画面を視聴可能なＡＶシステムを実現する具体的な手段の開示は全くなされていない。
【００１２】
本発明は、多画面を表示可能なドルビーデジタル方式に対応するＡＶシステムにおいて、１または複数の視聴者の視聴形態の変化に対応し、視聴者に違和感や不快感を与えることなく複数の画面及び音声を視聴可能とすることを目的とする。
【００１３】
【課題を解決するための手段】
請求項１記載の発明は、表示装置に表示する１または複数の画面に対応するデジタル音声信号が入力される入力手段と、ドルビーデジタル方式による前左チャンネル（Ｌチャンネル）、前右チャンネル（Ｒチャンネル）、後左チャンネル（ＲＬチャンネル）、後右チャンネル（ＲＲチャンネル、センタチャンネル（Ｃチャンネル）及びサブウーハチャンネル（ＬＦＥチャンネル）を含むチャンネルと、前記表示装置における画面の配置を示す画面配置の選択を受け付ける画面配置選択手段と、選択された画面配置に応じた画面を前記表示装置に表示させる表示制御手段と、前記入力手段に入力されたデジタル音声信号を前記チャンネルに出力する出力手段と、画面配置とデジタル音声信号の出力先となるチャンネルとの対応を定めた視聴パターン情報を記憶する記憶部と、選択された画面配置と前記視聴パターン情報とに応じてデジタル音声信号の出力先となるチャンネルを選択し、前記出力手段を制御して選択されたチャンネルに前記デジタル音声信号を出力させる出力制御手段と、を備えることを特徴とするＡＶシステムである。
【００１４】
この発明によると、画面配置選択手段により画面配置が選択される。画面配置選択手段は、例えばセットトップボックスの操作ボタンや、ＤＶＤプレーヤのリモコンなどにより実現できる。画面配置が選択されると、視聴パターン情報により、選択された画面配置と対応するチャンネルが選択され、このチャンネルにデジタル音声信号が出力される。なお、Ｌチャンネル、Ｒチャンネル、ＲＬチャンネル、ＲＲチャンネル及びＣチャンネルに接続されるスピーカは、それぞれ視聴者の左前、右前、左後、右後及び正面に配置される。ＬＦＥチャンネルに接続されるスピーカはどこに配置しても良いが、視聴者が１人の場合、視聴者の右横または左横に配置するのが一般的である。以下、Ｌチャンネル、Ｒチャンネル、ＲＬチャンネル、ＲＲチャンネル、Ｃチャンネル及びＬＦＥチャンネルに接続されるスピーカをそれぞれＬスピーカ、Ｒスピーカ、ＲＬスピーカ、ＲＲスピーカ、Ｃスピーカ及びＬＦＥスピーカという。
【００１５】
ここで、各々の画面配置と１または複数のチャンネルとの対応を１または複数の視聴者にとって好適な視聴形態となるよう視聴パターン情報により定めておけば、視聴者が自分の好みの画面配置を自由に選択でき、かつ音声も視聴に好適なよう出力される。なお、視聴パターン情報は、ボタン操作やリモコン操作などにより更新可能なように記憶されていても良い。このようにすれば、視聴者の好みに合わせて音声出力のパターンを変化させることができ、さらに快適な視聴環境を提供できる。
【００１６】
請求項２記載の発明は、入力されたデジタル音声信号に対し所定の処理を実行する処理手段と、選択された画面配置と前記視聴パターン情報とに応じて前記所定の処理の実行を制御する処理制御手段と、をさらに備えることを特徴とする請求項１記載のＡＶシステムである。
【００１７】
この発明によると、所定の処理、例えばデジタル音声信号同士の加算、減算、ダウンミックス、音量調節、音量バランス調節などの処理を、選択された画面配置に応じて行うことができる。
【００１８】
請求項３記載の発明は、前記所定の処理は、２チャンネルステレオのデジタル音声信号に含まれる左チャンネル用デジタル音声信号から右チャンネル用デジタル音声信号を減算しまたは右チャンネル用デジタル音声信号から左チャンネル用デジタル音声信号を減算してサラウンド信号を生成するサラウンド信号生成処理であることを特徴とする請求項２記載のＡＶシステムである。
【００１９】
この発明によると、２チャンネルステレオのデジタル音声信号からサラウンド信号を作成することができる。なお、左チャンネル用デジタル音声信号と右チャンネル用デジタル音声信号とが同相の場合、公知の疑似サラウンド化によりサラウンド信号を作成しても良い。
【００２０】
請求項４記載の発明は、前記出力制御手段は選択された画面配置と前記視聴パターン情報とに応じて前記Ｃチャンネルに前記サラウンド信号を出力させることを特徴とする請求項３記載のＡＶシステムである。
【００２１】
この発明によると、Ｃスピーカからサラウンド信号が出力される。
【００２２】
請求項５記載の発明は、前記所定の処理は、前記入力手段に入力された５．１チャンネルのデジタル音声信号の一部または全部を２チャンネルステレオのデジタル音声信号であるステレオ信号にダウンミックスするダウンミックス処理であることを特徴とする請求項２記載のＡＶシステムである。
【００２３】
この発明によると、５．１チャンネルのデジタル音声信号の一部または全部がダウンミックスされてステレオ信号が作成される。
【００２４】
請求項６記載の発明は、前記画面配置選択手段は、大画面及び小画面からなる画面配置である大小画面配置の選択を受け付け、前記出力制御手段は、前記大小画面配置が選択された場合、前記大小画面配置に対応する視聴パターン情報に応じ、前記大画面に対応する右チャンネル用デジタル音声信号を前記Ｒチャンネルに出力させ、前記大画面に対応する左チャンネル用デジタル音声信号を前記Ｌチャンネルに出力させ、前記小画面に対応する左チャンネル用デジタル音声信号を前記ＲＬチャンネルに出力させ、前記小画面に対応する右チャンネル用デジタル音声信号を前記ＲＲチャンネルに出力させることを特徴とする請求項１、３または５記載のＡＶシステムである。
【００２５】
この発明によると、大画面の音声は視聴者の前方に配置されたＬスピーカ、Ｒスピーカ及びＣスピーカから、小画面の音声は後方に配置されたＲＬスピーカ及びＲＲスピーカから拡声される。従って、例えば１人の視聴者が大画面と小画面とを同時に視聴する場合、大画面の音声と小画面の音声とを音源の位置から容易に区別することができる。なお、大画面の音声の音量、小画面の音声の音量、あるいはそれらの音量バランスを請求項２記載の処理手段により調整しても良い。例えば、処理手段が大画面の音量を小画面の音量よりも大きくなるよう処理すれば、大画面の音声と小画面の音声との区別がさらに容易になる。
【００２６】
請求項７記載の発明は、前記画面配置選択手段は、左右に分割された左画面及び右画面からなる画面配置である左右分割画面配置の選択を受け付け、前記出力制御手段は、前記左右分割画面配置が選択された場合、前記左右分割画面配置に対応する視聴パターン情報に応じ、前記左画面に対応した右チャンネル用デジタル音声信号を前記Ｌチャンネルに出力させ、前記左画面に対応した左チャンネル用デジタル音声信号を前記ＲＬチャンネルに出力させ、前記右画面に対応した左チャンネル用デジタル音声信号を前記Ｒチャンネルに出力させ、前記右画面に対応した右チャンネル用デジタル音声信号を前記ＲＲスピーカに出力させることを特徴とする請求項１または５記載のＡＶシステムである。
【００２７】
この発明によると、２人の視聴者が略画面中央と相対する位置に並びそれぞれ画面の左右を斜めに見る場合、左画面を視聴する視聴者にはＬスピーカから左画面に対応するＲチャンネル用音声、ＲＬスピーカから左画面に対応するＬチャンネル用音声が拡声される。一方、右画面を視聴する視聴者にはＲスピーカから右画面に対応するＬチャンネル用音声、ＲＲスピーカから右画面に対応するＲチャンネル用音声が拡声される。従って、２人の視聴者が左右に分割された画面をステレオ音声で同時に視聴することができる。なお、右画面及び左画面に対応するデジタル音声信号が５．１チャンネル用である場合、請求項５記載のダウンミックス処理によりダウンミックスしてステレオ信号を作成すればよい。
【００２８】
請求項８記載の発明は、前記所定の処理は、前記２チャンネルステレオのデジタル音声信号に含まれる左チャンネル用デジタル音声信号及び右チャンネル用デジタル音声信号を加算してモノラル信号を生成するモノラル信号生成処理であることを特徴とする請求項３または５記載のＡＶシステムである。
【００２９】
この発明によると、モノラル音声信号を生成することができる。
【００３０】
請求項９記載の発明は、前記画面配置選択手段は、左右に分割された左画面及び右画面からなる画面配置である左右分割画面配置の選択を受け付け、前記処理制御手段は、前記左右分割画面配置が選択された場合、前記左右分割画面配置に対応する視聴パターン情報に応じ、前記左画面及び前記右画面にそれぞれ対応したデジタル音声信号からモノラル信号をそれぞれ生成させ、かつ前記左画面に対応したデジタル音声信号及び前記右画面に対応したデジタル音声信号からサラウンド信号をそれぞれ生成させ、前記出力制御手段は、前記左右分割画面配置が選択された場合、前記左右分割画面配置に対応する視聴パターン情報に応じ、前記左画面に対応したデジタル音声信号から生成されたモノラル信号を前記Ｌチャンネルに出力させ、前記右画面に対応したデジタル音声信号から生成されたモノラル信号を前記Ｒチャンネルに出力させ、前記左画面に対応したデジタル音声信号から生成されたサラウンド信号を前記ＲＬチャンネルに出力させ、前記左画面に対応したデジタル音声信号から生成されたサラウンド信号を前記ＲＲチャンネルに出力させることを特徴とする請求項８記載のＡＶシステムである。
【００３１】
この発明によると、２人の視聴者が略画面中央と相対する位置に並びそれぞれ画面の左右を斜めに見る場合、左画面を視聴する視聴者にはＬスピーカから左画面に対応するモノラル音声、ＲＬスピーカから左画面に対応するサラウンド音声が拡声される。一方、右画面を視聴する視聴者にはＲスピーカから右画面に対応するモノラル音声、ＲＲスピーカから右画面に対応するサラウンド音声が拡声される。従って、２人の視聴者が左右に分割された画面をサラウンド音声付きで同時に視聴することができる。
【００３２】
請求項１０記載の発明は、前記表示制御手段は、上下左右に４分割された左上画面、右上画面、左下画面及び右下画面からなる４分割画面配置の選択を受け付け、前記処理制御手段は、前記４分割画面配置が選択された場合、前記４分割画面配置に対応する視聴パターン情報に応じ、前記左上画面、右上画面、左下画面及び右下画面にそれぞれ対応したデジタル音声信号からモノラル信号をそれぞれ生成させ、前記出力制御手段は、前記４分割画面配置が選択された場合、前記４分割画面配置に対応する視聴パターン情報に応じ、前記左上画面に対応したデジタル音声信号から生成されたモノラル信号を前記Ｌチャンネルに出力させ、前記右上画面に対応したデジタル音声信号から生成されたモノラル信号を前記Ｒチャンネルに出力させ、前記左下画面に対応したデジタル音声信号から生成されたモノラル信号を前記ＲＬチャンネルに出力させ、前記右下画面に対応したデジタル音声信号から生成されたモノラル信号を前記ＲＲチャンネルに出力させることを特徴とする請求項８記載のＡＶシステムである。
【００３３】
この発明によると、例えば４人の視聴者Ａ〜ＤがそれぞれＬスピーカ、Ｒスピーカ、ＲＬスピーカ及びＲＲスピーカと近接する位置でそれぞれ左上画面、右上画面、左下画面及び右下画面を見る場合、視聴者ＡにはＬスピーカから左上画面に対応するモノラル音声、視聴者ＢにはＲスピーカから右上画面に対応するモノラル音声、視聴者ＣにはＲＬスピーカから左下画面に対応するモノラル音声、視聴者ＤにはＲＲスピーカから右下画面に対応するモノラル音声が拡声される。従って、４人の視聴者はそれぞれ自分の見る画面に対応する音声を容易に認識でき、４人が同時に視聴できる。
【００３４】
【発明の実施の形態】
＜第１実施形態＞
（１）構成
（１−１）全体構成
図１は、本発明の第１実施形態に係るＡＶシステムのブロック図である。このＡＶシステムは、処理装置１、表示装置２及びスピーカ８を備える。表示装置２は、テレビジョン受像機などである。
【００３５】
処理装置１は、デジタル信号入力部１００、音声信号処理部１０２、セレクタ１０４、デジタル／アナログ変換器（ＤＡＣ）１０５、フィルタ１０６、増幅器１０７、制御部１０８、記憶部１０９、操作部１１０、及び映像信号処理部１１１を有している。デジタル信号入力部１００には、衛星放送を受信するチューナやＤＶＤプレーヤ（共に図示せず）などから出力されるデジタル映像信号及びデジタル音声信号が入力される。
【００３６】
デジタル信号入力部１００は、デジタル音声信号を音声信号処理部１０２に、デジタル映像信号を映像信号処理部１１１に分離して出力する。なお、映像信号処理部１１１は、処理装置１の外部に設けられていても良い。
【００３７】
音声信号処理部１０２は、ダウンミックス部２１、サラウンド信号作成部２２、及びモノラル信号生成部２３を含む。音声信号処理部１０２は、例えばＤＳＰ（Ｄｉｇｉｔａｌ  Ｓｉｇｎａｌ  Ｐｒｏｃｅｓｓｏｒ）により構成可能である。音声信号処理部１０２は、ダウンミックス部２１、サラウンド信号作成部２２、モノラル信号生成部２３により、入力されたデジタル音声信号に所定の処理を施す。音声信号処理部１０２の処理は、制御部１０８の制御に応じて実行される。なお、制御部１０８から制御がなされなければ、音声信号処理部１０２はデジタル信号入力部から入力された信号をそのままセレクタに出力する。
【００３８】
ダウンミックス部２１は、制御部１０８の制御により、デジタル信号入力部１００から出力された５．１チャンネルデジタル音声信号を２チャンネルステレオ信号にダウンミックスするダウンミックス処理を実行する。サラウンド信号作成部２２は、制御部１０８の制御により、デジタル信号入力部１００から出力された２チャンネルステレオのデジタル音声信号からサラウンド信号を作成するサラウンド信号作成処理を実行する。サラウンド信号の作成は、２チャンネルステレオのデジタル音声信号に含まれる左チャンネル用デジタル音声信号から右チャンネル用デジタル音声信号を減算することで行われる。あるいは、右チャンネル用デジタル音声信号から左チャンネル用デジタル音声信号を減算してサラウンド信号を作成しても良い。なお、左チャンネル用デジタル音声信号と右チャンネル用デジタル音声信号とが同相の場合、公知の疑似サラウンド化によりサラウンド信号を作成しても良い。
【００３９】
モノラル信号生成部２３は、制御部１０８の制御により、５．１チャンネルデジタル音声信号がダウンミックスされて生成された２チャンネルステレオ信号を加算してモノラル音声のデジタル信号（以下、モノラル信号）を生成する。音声信号処理部１０２により処理されたデジタル音声信号はセレクタ１０４に出力される。
【００４０】
セレクタ１０４は、ドルビーデジタル方式の５．１チャンネルに含まれる前左チャンネル（Ｌチャンネル）、前右チャンネル（Ｒチャンネル）、後左チャンネル（ＲＬチャンネル）、後右チャンネル（ＲＲチャンネル、センタチャンネル（Ｃチャンネル）及びサブウーハチャンネル（ＬＦＥチャンネル）のいずれかを選択し、選択したチャンネルにデジタル音声信号を出力する。チャンネルの選択は、制御部１０８により制御される。セレクタ１０４は、半導体素子などにより構成可能である。なお、  制御部１０８から何も制御がなされなければ、セレクタ１０４は入力された５．１チャンネルデジタル信号をドルビーデジタル方式に従い規定のチャンネルに出力する。
【００４１】
各々のチャンネルに出力されたデジタル音声信号は、ＤＡＣ１０５でアナログ音声信号に変換され、フィルタ１０６でフィルタ処理を受け、増幅器１０７で増幅されて６個の独立したスピーカ８にそれぞれ出力される。
【００４２】
スピーカ８は、ドルビーデジタル方式の５．１チャンネルスピーカである。本実施形態では、Ｌチャンネル、Ｒチャンネル、ＲＬチャンネル、ＲＲチャンネル、Ｃチャンネル及びＬＦＥチャンネルに接続されるスピーカを、それぞれＬスピーカ８１、Ｒスピーカ８２、ＲＬスピーカ８３、ＲＲスピーカ８４、Ｃスピーカ８５及びＬＦＥスピーカ８６で示している。Ｌスピーカ８１、Ｒスピーカ８２、ＲＬスピーカ８３、ＲＲスピーカ８４及びＣスピーカ８５は、それぞれ視聴者の左前、右前、左後、右後及び正面に配置される。ＬＦＥスピーカ８６はどこに配置しても良いが、視聴者が１人の場合、視聴者の右横または左横に配置するのが一般的である。
【００４３】
記憶部１０９は、半導体メモリなどで構成され、後述の視聴パターン情報を記憶する。後述するが、視聴パターン情報は、視聴パターンを規定するデータである。操作部１１０は、視聴者による視聴パターンの選択操作を受け付け、選択結果を示す電気信号を制御部１０８に出力する。視聴パターンの選択操作は、ＧＵＩにより行わせるようにしても良い。操作部１１０は、リモコンなどにより構成可能である。制御部１０８は、操作部１１０の操作により選択された視聴パターンを規定する視聴パターン情報を記憶部１０８から取得し、取得した視聴パターン情報で示される拡声パターン（後述）により音声信号処理部１０２及びセレクタ１０４を制御する。また、制御部１０８は、取得した視聴パターン情報で示される画面配置パターンを映像信号処理部１１１に指令する。映像信号処理部１１１は、制御部１０８の指令により、デジタル信号入力部１００から出力された映像信号を合成するなどして、１または複数の画面を表示装置２に表示させる。後述するが、画面配置パターンは表示装置２に表示される画面が複数の場合、各画面の位置、大きさなどを規定する。なお、処理装置１は、図示しないＤＶＤプレーヤ、チューナ、セットトップボックスなどや、表示装置２に内蔵しても良い。また、音声信号処理部１０２に、音量調節、音量バランス調節など上記以外の処理を行わせても良い。
【００４４】
（１−２）記憶部
図２（ａ）は、記憶部１０９に記憶される視聴パターン情報の一例である。視聴パターン情報は、画面配置パターンと拡声パターンとの対応（以下、視聴パターン）を定める。この図では、パターン１からパターン４までの４つの視聴パターンが示されている。視聴者は、この４つのパターンのいずれかを操作部１１０により選択できる。画面配置パターンは、表示装置２に表示される複数の画面の位置及び大きさを規定し、ここでは４つの画面配置パターン「配置１」〜「配置４」が示されている。例えば、画面配置パターン「配置１」が制御部１０８から映像信号処理部１１１に指令された場合、表示装置２には図３のような画面が表示される。ここでは、大画面である画面Ａ及び小画面である画面Ｂが表示装置２に表示されている。また、例えば、画面配置パターン「配置２」が制御部１０８から映像信号処理部１１１に指令された場合、表示装置２には図４のような画面が表示される。ここでは、左右にほぼ同じ大きさで分割された画面Ａ及び画面Ｂが表示装置２に表示されている。また、例えば、画面配置パターン「配置３」が制御部１０８から映像信号処理部１１１に指令された場合、表示装置２には図５のような画面が表示される。ここでは、上下左右にほぼ同じ大きさで分割された画面Ａ、画面Ｂ、画面Ｃ及び画面Ｄが表示装置２に表示されている。
【００４５】
一方、拡声パターンは、各画面に対応するデジタル音声信号のセレクタ１０４における出力先となるチャンネル及び出力するデジタル音声信号の種類を規定する。制御部１０８は、記憶部１０９から取得された視聴パターン情報で示される拡声パターンに従い音声信号処理部１０２を制御して入力されたデジタル音声信号に所定の処理を施す。また、制御部１０８は、取得された拡声パターンに従いセレクタ１０４を制御し、音声信号処理部１０２から出力されたデジタル音声信号をいずれかのチャンネルに出力させる。
【００４６】
図２（ｂ）は、拡声パターンを定める拡声パターン情報の一例を示す。拡声パターン情報は、チャンネルごとの「出力信号」と「対応画面」との対応を示す１または複数の視聴パターンからなる。「出力信号」は、各チャンネルに出力する出力信号の種類を示す。ここでは、出力信号の種類を、右側ステレオ信号を「Ｒ」、左側ステレオ信号を「Ｌ」、モノラル信号を「ＭＯＮＯ」及びサラウンド信号を「Ｓｕｒｒ」で示している。「対応画面」は、「出力信号」がＲまたはＬの場合、ステレオ信号と対応する画面を示す。
【００４７】
例えば、拡声パターン「拡声１」の「Ｌチャンネル」に出力される信号の種類は、「画面Ａ」に対応するステレオ信号の左側のデジタル音声信号「Ｌ」である。一方、「対応画面」は、「出力信号」が「ＭＯＮＯ」の場合、モノラル信号生成のためにモノラル信号生成部２３により加算すべき２チャンネルステレオ信号と対応する画面を示す。例えば、拡声パターン「拡声３」の「Ｌチャンネル」には、「画面Ａ」に対応する左右のステレオ信号の加算により生成されたモノラル信号が入力される。即ち、制御部１０８は、拡声パターン「拡声３」の「Ｌチャンネル」から、対応画面「画面Ａ」及び出力信号「ＭＯＮＯ」を取得すると、音声信号処理部１０２を制御して「画面Ａ」のステレオ信号からモノラル信号を生成させる。さらに、制御部１０８はセレクタ１０４を制御し、Ｌチャンネルに「画面Ａ」のステレオ信号から生成されたモノラル信号を出力させる。
【００４８】
さらに、「対応画面」は、「出力信号」が「Ｓｕｒｒ」の場合、サラウンド信号作成のために減算すべき２チャンネルステレオ信号と対応する画面を示す。例えば、拡声パターン「拡声２」の「Ｃチャンネル」には、画面Ａに対応するステレオ信号の減算により生成されたサラウンド信号及び画面Ｂに対応するステレオ信号の減算により生成されたサラウンド信号が合成されて入力される。即ち、制御部１０８は、拡声パターン「拡声２」の「Ｃチャンネル」から、対応画面「画面Ａ、Ｂ」及び出力信号「Ｓｕｒｒ」を取得すると、音声信号処理部１０２を制御して「画面Ａ」のステレオ信号からサラウンド信号を生成させ、かつ「画面Ｂ」のステレオ信号からサラウンド信号を生成させ、これらを合成させる。さらに、制御部１０８はセレクタ１０４を制御し、Ｃチャンネルに生成されたサラウンド信号を出力させる。なお、図２（ｂ）のＬＦＥチャンネルに示される「＊」は、ＬＦＥチャンネルに何の音声信号も出力されないよう制御部１０８が音声信号処理部１０２、セレクタ１０４を制御することを示す。ＬＦＥチャンネルに何らかの音声信号が入力されるよう拡声パターン情報を変更しても良い。
【００４９】
なお、画面配置パターン、拡声パターン及び視聴パターンは、上記の記載に限定されない。例えば、画面配置パターンは、図６（ａ）、（ｂ）に示すようなものであっても良い。また、記憶部１０９に記憶される視聴パターン情報の一部または全部は、操作部１１０などの操作により視聴者が任意に変更、削除、更新可能であっても良い。さらに、画面配置パターンと拡声パターンとの対応は、１対１であってもなくてもどちらでも良い。
【００５０】
（３）視聴パターン
次に、図２の視聴パターン情報で示される「パターン１」〜「パターン４」のいずれかが操作部１１０により選択され、これに従って制御部１０８が音声信号処理部１０２及びセレクタ１０４を制御し、かつ映像信号処理部１１１に画面配置パターンを指令した場合に実現される視聴態様を説明する。
【００５１】
（３−１）パターン１
図３は、図２の視聴パターン情報で示されるパターン１に従い、制御部１０８が音声信号処理部１０２及びセレクタ１０４を拡声パターン「拡声１」で制御し、かつ映像信号処理部１１１に画面配置パターン「配置１」を指令した場合に実現される視聴態様を示す図である。この視聴態様は、１人の視聴者Ｖが表示装置２の正面から視聴する場合を想定している。拡声パターン「拡声１」に従って各チャンネルにデジタル音声信号が入力されると、画面Ａの音声は視聴者Ｖの前方に配置されたＬスピーカ８１、Ｒスピーカ８２及びＣスピーカ８５から、画面Ｂの音声は視聴者Ｖの後方に配置されたＲＬスピーカ８３及びＲＲスピーカ８４から拡声される。従って、視聴者Ｖが画面Ａと画面Ｂとを同時に視聴する場合、画面Ａの音声と画面Ｂの音声とを音源の位置から容易に区別することができる。なお、画面Ａの音声の音量、画面Ｂの音声の音量、あるいはそれらの音量バランスを音声信号処理部１０２により調整可能にしても良い。例えば、音声信号処理部１０２が画面Ａの音量を画面Ｂの音量よりも大きくなるよう処理すれば、画面Ａの音声と画面Ｂの音声との区別がさらに容易になる。
【００５２】
（３−２）パターン２
図４は、図２の視聴パターン情報で示されるパターン２に従い、制御部１０８が音声信号処理部１０２及びセレクタ１０４を拡声パターン「拡声２」で制御し、かつ映像信号処理部１１１に画面配置パターン「配置２」を指令した場合実現される視聴態様を示す図である。この視聴態様は、２人の視聴者Ｖ１、Ｖ２が表示装置２と相対する位置に並びそれぞれ画面Ａ及び画面Ｂを左右に斜めに見る場合を想定している。拡声パターン「拡声２」に従って各チャンネルにデジタル音声信号が入力されると、画面Ａを視聴する視聴者Ｖ１にはＬスピーカ８１から画面Ａに対応するＲチャンネル用音声、ＲＬスピーカ８３から画面Ａに対応するＬチャンネル用音声が拡声される。一方、画面Ｂを視聴する視聴者Ｖ２にはＲスピーカ８２から画面Ｂに対応するＬチャンネル用音声、ＲＲスピーカ８４から画面Ｂに対応するＲチャンネル用音声が拡声される。また、Ｃスピーカ８５からは画面Ａに対応するサラウンド音声と画面Ｂに対応するサラウンド音声とが拡声される。従って、２人の視聴者Ｖ１、Ｖ２が左右に分割された画面Ａ、Ｂをステレオ音声で同時に視聴することができる。
【００５３】
（３−３）パターン３
図４を引き続き用いて、図２の視聴パターン情報で示されるパターン３に従い、制御部１０８が音声信号処理部１０２及びセレクタ１０４を拡声パターン「拡声３」で制御し、かつ映像信号処理部１１１に画面配置パターン「配置２」を指令した場合実現される視聴態様を説明する。この視聴態様は、上記（３−２）と同様２人の視聴者Ｖ１、Ｖ２が表示装置２と相対する位置に並びそれぞれ画面Ａ及び画面Ｂを左右に斜めに見る場合を想定している。拡声パターン「拡声３」に従って各チャンネルにデジタル音声信号が入力されると、画面Ａを視聴する視聴者Ｖ１にはＬスピーカ８１から画面Ａに対応するモノラル音声、ＲＬスピーカ８３から画面Ａに対応するサラウンド音声が拡声される。一方、画面Ｂを視聴する視聴者Ｖ２にはＲスピーカ８２から画面Ｂに対応するモノラル音声、ＲＲスピーカ８４から画面Ｂに対応するサラウンド音声が拡声される。従って、２人の視聴者Ｖ１、Ｖ２が左右に分割された画面Ａ、Ｂをサラウンド音声付きで同時に視聴することができる。
【００５４】
（３−４）パターン４
図５は、図２の視聴パターン情報で示されるパターン４に従い、制御部１０８が音声信号処理部１０２及びセレクタ１０４を拡声パターン「拡声４」で制御し、かつ映像信号処理部１１１に画面配置パターン「配置３」を指令した場合実現される視聴態様を示す図である。この視聴態様は、４人の視聴者Ｖ１、Ｖ２、Ｖ３及びＶ４がそれぞれＬスピーカ８１、Ｒスピーカ８２、ＲＬスピーカ８３及びＲＲスピーカ８４と近接する位置でそれぞれ画面Ａ、画面Ｂ、画面Ｃ及び画面Ｄを見る場合を想定している。拡声パターン「拡声４」に従って各チャンネルにデジタル音声信号が入力されると、視聴者Ｖ１にはＬスピーカ８１から画面Ａに対応するモノラル音声、視聴者Ｖ２にはＲスピーカ８２から画面Ｂに対応するモノラル音声、視聴者Ｖ３にはＲＬスピーカ８３から画面Ｃに対応するモノラル音声、視聴者Ｖ４にはＲＲスピーカ８４から画面Ｄに対応するモノラル音声が拡声される。また、Ｃスピーカ８５からは画面Ａ〜Ｄのそれぞれに対応するサラウンド音声が合成された音声が拡声される。従って、４人の視聴者Ｖ１〜Ｖ４はそれぞれ自分の見る画面に対応する音声を容易に認識でき、４人が同時に視聴できる。
【００５５】
＜第２実施形態＞
処理装置１には、デジタル信号でなくアナログ信号が入力されるようにしてもよい。例えば、図７に示すように、第１実施形態のデジタル信号入力部１００の代わりにアナログ信号入力部１０１を設ける。アナログ信号入力部１０１には、ビデオデッキや地上波アナログテレビ放送の放送信号を受信するチューナなど（図示せず）からアナログ映像信号及びアナログ音声信号が入力される。アナログ信号入力部１０１は、入力されたアナログ信号からアナログ音声信号を分離してＡＤＣ１１２に出力し、またアナログ映像信号を分離して映像信号処理部１１１に出力する。ＡＤＣ１１２は、入力されたアナログ音声信号をデジタル音声信号に変換し、音声信号処理部１０２に出力する。音声信号処理部１０２は第１実施形態と異なりダウンミックス部２１を有していない。サラウンド信号作成部２２は、ＡＤＣ１１２によりアナログステレオ音声信号から変換されたデジタル音声信号を直接減算してサラウンド信号を生成する。また、モノラル信号生成部２３は、アナログステレオ音声信号から変換されたデジタル音声信号を直接加算してモノラル信号を生成する。その他の構成及び機能は第１実施形態と同様であるので説明を省略する。
【００５６】
このような構成によれば、ＡＶシステムに入力される信号がアナログ信号であっても、視聴パターンを操作部１１０で選択すれば第１実施形態と同様にそれに対応する画面配置パターンで画面が表示され、かつそれに対応する拡声パターンで拡声がなされる。
【００５７】
＜その他の実施形態＞
記憶部１０９に記憶される画面配置パターン、拡声パターン及び視聴パターンは上記第１実施形態に記載されたものに限定されず、視聴者の視聴態様に合わせて適宜変更してもよい。これにより、視聴者の様々な視聴態様に対応できる柔軟なＡＶシステムを提供できる。
【００５８】
【発明の効果】
本発明によると、視聴パターンを選択すれば画面配置パターン及び拡声パターンが定まり、画面配置パターンに従って１または複数の画面が表示され、また拡声パターンに従って各スピーカから音声が出力される。従って、視聴者が視聴パターンを自分の視聴形態に合わせて設定しておけば、自分の好みの画面配置を自由に選択でき、かつ音声も視聴に好適なよう出力させることができる。
【図面の簡単な説明】
【図１】第１実施形態に係るＡＶシステムのブロック図。
【図２】視聴パターン情報及び拡声パターン情報の一例。
【図３】パターン１の視聴態様を示す図。
【図４】パターン２及びパターン３の視聴態様を示す図。
【図５】パターン４の視聴態様を示す図。
【図６】他の画面配置パターンの一例。
【図７】第２実施形態に係るＡＶシステムのブロック図。
【符号の説明】
１０２：音声信号処理部
１０４：セレクタ
１０８：制御部
１０９：記憶部
１１１：映像信号処理部
【図１】
2004343376.tif 000003
【図２】
2004343376.tif 000004
【図３】
2004343376.tif 000005
【図４】
2004343376.tif 000006
【図５】
2004343376.tif 000007
【図６】
2004343376.tif 000008
【図７】
2004343376.tif 000009